(57)【要約】【課題】効率良く流体内に混在する異物除去が可能となるポンプを提供すること。【解決手段】流体の吸入口と吐出口とを有するポンプボディと、ポンプボディに軸支されるシャフトとポンプボディ内でシャフトと一体に回動するインペラと、インペラと対向するポンプボディの内壁との間に配設され、ポンプボディを第１内空間と第２内空間に分割する区画部材と、区画部材には第１および第２内空間を連通するスリットを形成したことである。【選択図】    図１
2005282518.tif 000002
【特許請求の範囲】
【請求項１】
流体の吸入口と吐出口とを有するポンプボディと、該ポンプボディに軸支されるシャフトと前記ポンプボディ内で前記シャフトと一体に回動するインペラと、
該インペラと対向する前記ポンプボディの内壁との間に配設され、ポンプボディを第１内空間と第２内空間に分割する区画部材と、該区画部材には前記第１および第２内空間を連通するスリットが形成されることを特徴とする遠心ポンプ。
【請求項２】
前記第２内空間は前記流体の吐出口と連通する通路が形成される請求項１に記載の遠心ポンプ。
【請求項３】
前記区画部材は弾性部材で形成される請求項１に記載の遠心ポンプ。
【請求項４】
前記ポンプボディ内には磁気部材が配置される請求項１記載の遠心ポンプ。
【請求項５】
前記第２内空間にはフィルタが配設される請求項１記載の遠心ポンプ。
【発明の詳細な説明】
【技術分野】
【０００１】
本発明は流体の供給装置に用いられるポンプ構造に関するもので、例えば、車両用の潤滑油や冷却水の供給装置に応用可能な流体用遠心ポンプに関する。
【背景技術】
【０００２】
従来、流体の供給装置に用いられるポンプ構造として特開平１０−３７８８８号公報（特許文献１）、あるいは特開２０００−２９１５３２号公報（特許文献２）に開示されたものがある。特開平１０−３７８８８号公報では、ハウジング１と、ポンプ室Ｐとモータ室Ｍとを区画形成する隔壁体１０と、モータ室Ｍ内に設けられたステ−タ２５と、多数の羽根３１、ロータマグネット３２、回転軸３４を有し、ポンプ室Ｐ内に回動自在に設けられたロータ３０とを備え、隔壁体１０は、うず型室Ｐａを形成するとともにうず型室Ｐａと吐出口５とを連通する噴流口１６を有するうず形壁１５を備え、うず形壁１５とハウジング内壁６との間に異物溜め部２０が形成され、異物溜め部開口２１が噴流口１６の近傍に設けられた構成が開示されている。特に、特許文献１の図１、図２に開示されている。
【０００３】
また、特開平１２−２９１５３２号公報では、歯車室内で切粉や鉄片などの異物が噛み込むのを防ぐ目的で、ハウジング３１内に配設される駆動ポンプ３５の主回転軸４０に固定される駆動歯車４６と従動回転軸４１に固定される従動歯車４７とが噛合して回転力が伝達される駆動ポンプにおいて、駆動歯車４６および従動歯車４７は歯車室４８に収容され、歯車室４８には油の流過方向に歯車室４８から下方に凹む捕獲室９１を有する異物捕獲部９０が設けられる構成が開示されている。特に、特許文献２の図３に開示がある。
【特許文献１】特開平１０−３７８８８号公報
【特許文献２】特開２０００−２９１５３２号公報
【発明の開示】
【発明が解決しようとする課題】
【０００４】
しかしながら、特許文献１に記載の場合、うず形室Ｐａに隣接して異物溜め部２０を設けることによって、ポンプを通過する冷却水に含まれる異物の一部を除去することが可能である。しかしながら、異物溜め部２０の圧力は、うず形室Ｐａ内より相対的に低く、異物溜め部２０内外の圧力差により異物が補足状態となるが、異物溜め部２０は閉空間となっているので、確率的に偶然異物溜め部２０に到達した異物のみを補足することとなり異物捕集が効果的に行われがたい。
【０００５】
また、特許文献２の油圧ポンプの場合、歯車室４８内の油は、各歯車４６、４７の回転により外周部に運ばれ、各歯車４６、４７の外周部と周壁７９との間の空間に沿って歯車４６、４７の回転とともに流れる。また歯車室４８から下方に凹んで、油通路の一端を袋小路状にした異物捕獲部９０が設けられているので、油に含まれる切粉や異物が捕獲できる。しかしながら、この特許文献２においても積極的な流体の移動が成されるような構造ではないため、異物の効果的な捕集が行われがたい。
【０００６】
したがって、本発明は上記の問題点に鑑みてなされたものであり、効率よく異物除去が可能となる遠心ポンプの構成を提供することを技術的課題とする。
【課題を解決するための手段】
【０００７】
上記の課題を解決するために本発明において講じた技術的手段は、流体の吸入口と吐出口とを有するポンプボディと、ポンプボディに軸支されるシャフトとポンプボディ内でシャフトと一体に回動するインペラと、インペラと対向するポンプボディの内壁との間に配設され、ポンプボディを第１内空間と第２内空間に分割する区画部材と、区画部材には第１および第２内空間を連通するスリット有する遠心ポンプとしたことである。
【０００８】
本発明において講じた第２の技術的手段は、第２内空間は流体の吐出口と連通する通路を形成したことである。本発明において講じた第３の技術的手段は、区画部材は弾性部材で形成したことである。本発明において講じた第４の技術的手段は、ポンプボディ内に磁気部材を配置したことである。本発明において講じた第５の技術的手段は、第２内空間にはフィルタを配設したことである。
【発明の効果】
【０００９】
本発明によれば、流体の吸入口と吐出口とを有するポンプボディには、シャフトと一体で回転して流体を流動させるインペラが配置される。このインペラの外周と対向するように、ポンプボディの内壁側にはスリットを有する区画部材で区画された第２内空間が形成される。流体はインペラが回転するとき、その駆動力によってインペラの外周方向に遠心力が作用する。この流体の流れに対面するようにスリットを有する区画部材が配置されるので、流体に混入した異物は、区画部材のスリットを通過して異第２内空間に移動する。
【００１０】
この異物を捕集するための第２内空間には、区画部材に形成されたスリットを通過した流体が排出されるように排出口が形成されるので、第２内空間には流体の流れが発生する。従って、この流体の流れにより、流体に混入した異物を効果的に第２内空間に導くことができる。
【００１１】
本発明の第２の技術的手段によれば、第２内空間は流体の吐出口と連通する通路を形成したため、効果的に異物をポンプ外に導くことができる。
【００１２】
第３の技術的手段によれば、区画部材は弾性部材から成るため、流体は区画部材の開口部を通過が容易になるように変形するため、この流体の動きに導かれた異物は区画部材を介して容易に第２内空間に導くことができるようになる。
【００１３】
第４の技術的手段によれば、ポンプボディ内に磁気部材を配置したため、磁気に吸引される材料が異物として流体に混在した場合、異物は磁気部材に吸引されるため容易に磁気材料からなる異物を除去することができる。
【００１４】
第５の技術的手段によれば、第２内空間にはフィルタを配設したため、一端第２内空間内に導入された異物が再び第１内空間に戻ることがなく、インペラの効率を悪化させたり、損傷するようなことがない。
【発明を実施するための最良の形態】
【００１５】
以下に本発明の実施の形態を、図1から図６に示す遠心ポンプＣＰの概略図に基づいて説明する。一般に遠心ポンプと称せられる流体ポンプは、吸入口と吐出口を有するケース内でインペラを回転させて流体を流動させるポンプであり、インペラから吐出される流体の流れは、インペラの回転軸に対して垂直な面となっている。そして、この遠心ポンプは、構成部材を用途に応じて最適に選定すれば、水のほか油、あるいは薬液など各種の流体に応用できるものである。
【００１６】
図１は本発明の流体ポンプＣＰの内部を上部から見た場合の概略を示す透視正面図であり、ポンプボディＰＢ内部の基本構成を示している。図１の略中央部には、複数の羽根ＶＮを有するインペラＩＰＬのシャフトＲＳが、図示しないモータＭの回転軸と一体で回転するように取り付けられている。
【００１７】
インペラＩＰＬの中心からポンプボディＰＢの内壁に向かって加速される流体には異物が含まれる場合がある。この流体に含有される異物を捕集するために、インペラＩＰＬの外周とポンプボディＰＢの内壁ＩＷの間には、複数の開口部（スリット）ＯＰを有し区画壁ＤＷで仕切られた異物捕集室ＣＡ（第２内空間）が形成されている。この区画壁ＤＷは弾性部材で構成されており、流体が区画壁ＤＷを押し付ける圧力に応じて変形するように構成されている。この区画壁ＤＷを構成する部材は使用する流体との組み合わせにより慎重に選択されるが、たとえば、樹脂材料、ゴム系の材料、あるいは変形可能な金属材料などで構成される。
【００１８】
また、異物捕集室ＣＡ（第２内空間）に区画壁ＤＷの開口部（スリット）ＯＰを通過した異物が捕集されるように、この異物捕集室ＣＡ（第２内空間）内にはフィルタＦＬＴが設置されている。このフィルタＦＬＴは樹脂もしくは金属のメッシュで構成されており、メッシュサイズは主に捕集される異物の大きさによって選定される。
【００１９】
図２は本発明の遠心ポンプＣＰの図１において、Ａ−Ａ断面からみた概略横断面図である。インペラＩＰＬのシャフトＲＳ上方の吸入口ＩＬＴから流入した流体は、区画壁ＤＷに沿って流れ、図２示下方の遠心ポンプＣＰの吐出口ＯＬＴから排出される。流体はインペラＩＰＬの回転中心部つまりシャフトＲＳ方向の渦室ＶＡ（第１内空間）から、インペラＩＰＬの外周のポンプボディＰＢに向かって放射状に回転して流れる。
【００２０】
流体はインペラＩＰＬの回転に基づく遠心力の作用で、区画壁ＤＷ周辺では圧力が増加する。この圧力を利用して、異物を含む流体を区画壁ＤＷに設けられた開口部（スリット）ＯＰを通過させて異物捕集室ＣＡ（第２内空間）に導く。渦室ＶＡ（第１内空間）内の流体の流れは、インペラＩＰＬでシャフトＲＳの半径方向に加速されるので、ポンプボディＰＢの内周面に略平行に配設される区画壁ＤＷに流体は圧接し、効果的に異物が区画される異物捕集室ＣＡ（第２内空間）に移動する。
【００２１】
渦室ＶＡ（第１内空間）を流れる流体、たとえば、冷却水と異物では異物の方が比重は大きいために、冷却水よりも大きな遠心力が働いて、渦室ＶＡ（第１内空間）の外周側に設置される区画壁ＤＷに衝突する確率が大きくなる。従って、遠心ポンプＣＰを用いた異物除去装置を設置する最適位置は、ポンプボディＰＢの内壁側であるといえる。
【００２２】
以上の異物捕集室ＣＡ（第２内空間）内に移動した異物は、異物捕集室（第２内空間）ＣＡ内に設置されるフィルタＦＬＴのメッシュで捕集されるので、区画壁ＤＷで仕切られた空間内に保持される。異物捕集室（第２内空間）ＣＡの排出口ＶＮＴはポンプボディＰＢの吐出口ＯＬＴに接続されており、流体はフィルタＦＬＴを通過するとポンプボディＰＢの吐出口ＯＬＴへと導かれる。このフィルタＦＬＴは定期的に交換可能なように、着脱可能な構成となっている。ポンプボディＰＢにはフィルタ交換や異物捕集室（第２内空間）ＣＡに存在する異物を取り出せるように蓋ＤＣが設けられており、ねじなどで固定されている。
【００２３】
図３および図４に本発明の別の実施の形態を説明する。異物が磁性部材である場合においては、図３に示すようにポンプボディＰＢの内壁に磁気回路ＭＣが形成される。この磁気回路ＭＣには樹脂に磁気部材を含有した折り曲げ自在に成形されるプラスティックマグネットやゴムフェライトなどが使用される。この磁気回路ＭＣは、図４示のようにポンプボディＰＢの外壁側に配置されてもよい。以上の磁気回路ＭＣは電磁的に構成されることも当然である。以上図３、図４における構成は異物捕集室（第２内空間）ＣＡが省略されているが、図１の構成に応用するのが現実的である。
【００２４】
図５および図６に本発明の別の実施の形態を説明する。なお図６は図５のＢ−Ｂ断面における概略横断面図である。図５に示すように、鉄粉などの磁性異物を磁気的に捕集するために、渦室ＶＡ（第１内空間）には異物捕集棒ＣＰが設置されている。この異物捕集棒ＣＰは流体の流路に設置されて、磁性異物を付着させる。流体はシャフトＲＳ方向から、インペラＩＰＬの外周のポンプボディＰＢに向かって渦室ＶＡ（第１内空間）内を放射状に回転して流れる。このとき、流体に存在する磁性異物は渦室ＶＡ（第１内空間）内に配置された異物捕集棒ＣＰに引き寄せられて付着する。付着した磁性異物は定期的に除去可能なように、異物捕集棒ＣＰは根元部が着脱可能な構造となっている。
【００２５】
以上の異物捕集棒ＣＰの取り付けについては、図１における異物捕集室（第２内空間）ＣＡ内であっても構わないことは当然である。各ポンプ系で発生する異物種と必要な除去量から最適なものを選択すればよい。以上本発明は、渦室ＶＡ（第１内空間）内に複雑な異物除去装置を構成する必要がないので、構造が簡便で、導入が容易である。
【００２６】
さらに以上に説明した構成に加えて、区画壁ＤＷの開口部（スリット）ＯＰは流体圧力によって膨張収縮するように構成してもよい。区画壁ＤＷの開口部（スリット）ＯＰを通過した異物は、インペラＩＰＬが回転して発生する流体が区画壁ＤＷを押し付けるように圧力を有する場合においては、弾性部材で構成される区画壁ＤＷの開口部（スリット）ＯＰは変形して膨張する。また、インペラの回転が減速するかまたは停止する場合においては、流体が区画壁ＤＷを押し付ける圧力は減少するため、弾性部材である区画壁ＤＷの開口部（スリット）ＯＰは収縮するので、一度区画壁ＤＷの開口部（スリット）ＯＰを通過した異物は、再び区画部材の開口部（スリット）を逆戻りして流動することがないので確実に異物の捕集が可能となる。
【００２７】
そしてさらに、開口部（スリット）ＯＰは流体の圧力によって開口部（スリット）の開口面積が可変するように構成すれば、区画壁ＤＷを押し付ける流体の圧力が高い場合は開口部（スリット）ＯＰは開き、また区画壁ＤＷを押し付ける圧力が低い場合は開口部（スリット）は閉じるように働く。そのため、開口部（スリット）ＯＰは流体を異物捕集室（第２内空間）ＣＡに流動させたい場合には、開口部（スリット）ＯＰが開いて流体が流れやすくなる。
【図面の簡単な説明】
【００２８】
【図１】図１は本発明の実施の形態における遠心ポンプを示す概略透視正面図。
【図２】図１のＡ−Ａ断面における概略断面図。
【図３】別の実施の形態における概略透視正面図。
【図４】別の実施の形態における概略透視正面図。
【図５】別の実施の形態における概略透視正面図。
【図６】図５のＢ−Ｂ断面における概略断面図。
【符号の説明】
【００２９】
ＣＡ  ：異物捕集室（第２内空間）
ＣＰ  ：遠心ポンプ
ＤＷ  ：区画壁（区画部材）
ＦＬＴ：フィルタ
ＩＬＴ：吸入口
ＩＰＬ：インペラ
ＩＬＴ：吸入口
ＩＷ  ：ポンプボディの内壁
ＯＬＴ：吐出口
ＰＢ  ：ポンプボディ
ＲＳ  ：シャフト
ＶＡ  ：渦室（第１内空間）
ＯＰ  ：開口部（スリット）
【図１】
2005282518.tif 000003
【図２】
2005282518.tif 000004
【図３】
2005282518.tif 000005
【図４】
2005282518.tif 000006
【図５】
2005282518.tif 000007
【図６】
2005282518.tif 000008